【事件の表示】
　特願２０１６−　６４０７３号「車載用表示制御装置」拒絶査定不服審判事件〔平成２９年１０月　５日出願公開、特開２０１７−１７７８７３号〕について、次のとおり審決する。
【結　論】
　本件審判の請求は、成り立たない。
【理　由】
第１　手続の経緯
　本願は、平成２８年３月２８日の出願であって、令和１年９月１０日付けで拒絶理由が通知され、同年１１月１１日に意見書及び手続補正書が提出され、令和２年４月６日付けで拒絶理由（最後）が通知され、同年６月１０日に意見書が提出され、同年７月１６日付けで拒絶査定（以下「原査定」という。）がされ、同年１０月２８日に拒絶査定不服審判が請求されると同時に手続補正書が提出されたものである。
　　　　　　 
第２　令和２年１０月２８日付けの手続補正についての補正の却下の決定
［補正の却下の決定の結論］ 
　令和２年１０月２８日付けの手続補正を却下する。
　　　　　 
［理由］ 
１　補正の内容
　令和２年１０月２８日付けの手続補正（以下「本件補正」という。）は、特許請求の範囲の補正を含むものであって、請求項１について補正前後の記載を補正箇所に下線を付して示すと以下のとおりである。
　　　　　
（１）補正前の請求項１
「【請求項１】
　画面を備えた表示部と、
　前記画面に複数のアイコンスイッチを表示するように前記表示部を制御する制御部と、
　を備え、
　前記制御部は、前記アイコンスイッチを任意の方向に移動させるための移動方向選択スイッチを前記画面の移動対象とされた前記アイコンスイッチ上に表示させるとともに、移動対象とされた前記アイコンスイッチを他の前記アイコンスイッチに対して相対的に大きく前記画面に表示させ、
　前記移動方向選択スイッチが操作された場合、移動する方向に位置する前記アイコンスイッチの位置と移動対象とされた前記アイコンスイッチの位置とを並び替えて前記画面に表示させる車載用表示制御装置。」
（２）補正後の請求項１
「【請求項１】
　画面を備えた表示部と、
　前記画面に複数のアイコンスイッチを
横一列
　を備え、
　前記制御部は、前記アイコンスイッチを
横
上下幅を
　前記移動方向選択スイッチが操作された場合、
横
　　　　　
２　補正の適否
２−１　補正の目的
　本件補正に係る請求項１の補正は、補正前の請求項１に記載された「複数のアイコンスイッチ」の「表示」について、「横一列表示」であることの限定を付し、また、「アイコンスイッチ」における「移動」の「方向」について、「横方向」であることの限定を付し、さらに、「移動対象とされた前記アイコンスイッチを他の前記アイコンスイッチに対して相対的に大きく前記画面に表示させ」ることについて、その表示が「上下幅」を相対的に大きくすることの限定を付すものであって、補正前の請求項１に記載された発明と補正後の請求項１に記載される発明の産業上の利用分野及び解決しようとする課題が同一であるから、特許法第１７条の２第５項第２号に掲げられた特許請求の範囲の減縮を目的とするものに該当する。
　そこで、本件補正後の請求項１に記載された事項により特定される発明（以下「本願補正発明」という。）が、同条第６項において準用する同法第１２６条第７項の規定に適合するか（特許出願の際独立して特許を受けることができるものであるか）について、以下検討する。
２−２　独立特許要件
（１）引用文献の記載事項等
（１−１）引用文献１の記載事項等
（１−１−１）引用文献１の記載事項
　原査定の拒絶の理由に引用文献１として引用され、本願の出願日前に電気通信回線を通じて公衆に利用可能となった国際公開第２０１５／１５１６１９号（以下「引用文献１」という。）には、以下の事項が記載されている（下線は当審で付した。以下同様。）。
（１ａ）
「[0001]　本発明は、タッチパネルを備えた車載情報装置に関する。
・・・
[0010]　以下、図面を参照して本発明の一実施形態について説明する。
　図１において、符号１は、本実施の形態に係るカーナビゲーション装置（車載情報装置）を示している。この
カーナビゲーション装置１は、
運転席２及び助手席３の間の車内空間の前方部４に搭載されている。
[0011]　図２は、本実施形態に係るカーナビゲーション装置１の機能ブロック図である。
　
カーナビゲーション装置１は、制御部１００と、記憶部１１０と、タッチ操作ユニット１２０とを備えている。
　
制御部１００は、カーナビゲーション装置１の全体を制御する
　記憶部１１０は、例えばフラッシュメモリなどの電気的に書き換えが可能な不揮発性のメモリであり、制御部１００が、例えばナビ機能、オーディオ機能などの各機能を実現するためのプログラムを格納している。また、この記憶部１１０は、後述する液晶表示装置１２２の画面に表示するアイテムのＧＵＩ（グラフィカルユーザインターフェイス）用画像データも格納している。
[0012]　
タッチ操作ユニット１２０は、タッチパネル１２１と、液晶表示装置１２２とを備えており
・・・
[0014]　
液晶表示装置１２２は、
視覚表示装置であり、制御部１００の制御の下、制御部１００から出力される表示画面信号に基づき、画面に各種の情報を表示する。
[0015]　図３は、カーナビゲーション装置１を編集モードで操作する過程を示した図である。
　本実施の形態では、
ユーザが、タッチ操作ユニット１２０のタッチパネル１２１から、編集モードへの移行指令を与えると、制御部１００を介して、液晶表示装置１２２に、
第１の編集画面１０が表示される。第１の編集画面１０には、横に４列、縦に２行の合計８つのアイコン１１、１２、１３、…１８が配置される。第１の編集画面１０が開かれた場合、初期状態として編集画面１０の左上のアイコン１１が編集可能に選択されている。
・・・
[0017]　図３（Ａ）では、左上のアイコン１１が編集可能に選択されている。
　
選択アイコン
１１は、視覚で理解できるように、その周囲枠２４が発色されている。
[0018]　
周囲枠２４の周囲には、オブジェクトの移動可能な方向を示すマーク（入れ替えマーク）２０（２０ａ、２０ｂ、２０ｃ）が表示されている。アイコン（オブジェクト）が選択されると、選択アイコンを潜在的に入れ替え可能な配置先がある場合には、選択アイコンの周囲に入れ替えマーク２０が表示される。
アイコン１１は、左右及び下側には移動可能な仕組みがとられているため、アイコン１１の左右及び下側には、入れ替えマーク２０（２０ａ、２０ｂ、２０ｃ）が表示される。
・・・
[0021]　次に、オブジェクト配置位置の入れ替えについて説明する。
　図４（Ａ）を参照すると、選択アイコン１１の周囲には、移動可能な方向を示す入れ替えマーク２０（２０ａ、２０ｂ、２０ｃ）が表示される。入れ替えマーク２０（２０ａ、２０ｂ、２０ｃ）の枠部２１（２１ａ、２１ｂ、２１ｃ）は発色している。
　本実施の形態では、
ユーザが、入れ替えマーク２０ａに触れた場合、
選択アイコン１１と、入れ替えマーク２０ａが示す方向に位置する対象アイコン１２とが、表示位置を入れ替わって表示される。
　
入れ替えマーク２０ｂに触れた場合、
選択アイコン１１と、下方に位置する対象アイコン１５とが、表示位置を入れ替わって表示される。入れ替えマーク２０ｃに触れた場合、選択アイコン１１の左方に位置する対象アイコンと表示位置を入れ替わって表示される
・・・
[0023]　
第１の編集画面１０において、選択したいアイコンがアイコン１１ではなく、例えば、アイコン１２である場合、アイコン１２をタッチする。
　
すると、アイコン１２が選択されて
選択アイコン１２の周囲に入れ替えマーク２０が表示される。
[0024]　
図５は、別の実施の形態を示す。
　図５では、アイコンより大きいウィジェットが、例えば編集画面１０中でどのように配置位置の入れ替えが行われるかを示した図である。
　第
１の編集画面１０には、図５（Ａ）参照のように、左半分にウィジェット３１、右半分にアイコン３２、３３、３４、３５が配置されている。
　ウィジェット３１にはアプリケーションＡが、アイコン３２にはアプリケーションＢが、アイコン３３にはアプリケーションＤが、アイコン３４にはアプリケーションＣが、アイコン３５にはアプリケーションＥが、それぞれセッティングされている。
・・・
[0030]　
図７は、別の実施の形態を示す。
　
図７において、第１の編集画面１０には、画面の上半分にウィジェット５１、下半分にアイコン５２、５３、５４、５５が配置されている。
　ウィジェット５１にはアプリケーションＡが、アイコン５２にはアプリケーションＢが、アイコン５３にはアプリケーションＣが、アイコン５４にはアプリケーションＤが、アイコン５５にはアプリケーションＥが、それぞれセッティングされている。
・・・
[0033]　
図８では、第１の編集画面１０に、画面の左半分にウィジェット６１、右半分の上側にアイコン６２、６３、右半分の下側にウィジェット６４が配置されている。
　ウィジェット６１にはアプリケーションＡが、アイコン６２にはアプリケーションＢが、アイコン６３にはアプリケーションＣが、アイコン６４にはアプリケーションＤが、それぞれセッティングされている。
・・・
[0036]　
図９では、第１の編集画面１０に、画面の上半分にアイコン７１、７２、７３、７４が、画面の下半分にウィジェット７５が、配置されている。
　アイコン７１にはアプリＡが、アイコン７２にはアプリＢが、アイコン７３にはアプリＣが、アイコン７４にはアプリＤが、ウィジェット７５にはアプリＥが、それぞれセッティングされている。
・・・
[0042]　以上説明したように、本実施の形態によれば次の効果を奏する。
　すなわち、本実施の形態によれば、ユーザが、タッチ操作ユニット１２０のタッチパネル１２１から、編集モードへの移行指令を与えると、制御部１００を介して、液晶表示装置１２２に、例えば図３（Ａ）に示すように、第１の編集画面１０が表示される。そして、オブジェクトの移動可能な方向を示すマークのうち、所望のマークへのタッチ操作により、選択オブジェクトと、この選択オブジェクトと隣り合う、所望の対象オブジェクトとを入れ替えることができる。
　
したがって、従来のようにドラッグ操作を必要とせず、タッチパネル１２１に一度触れるのみで操作を行うことを可能とする。
・・・
[0046]　以上、一実施の形態に基づいて本発明を説明したが、
本発明は、この実施形態に限定されるものではない。あくまでも本発明の一実施の態様を例示するものであるから、本発明の趣旨を逸脱しない範囲で任意に変更、及び応用が可能である。
　例えば、本実施の形態では、車内に固定のカーナビゲーション装置１を例示したが、図１２に示すように、車内に例えばドッキングステーション６を配置してもよい。ドッキングステーション６には、車載情報装置として、携帯用のスマートフォン５やタブレットＰＣを運転時にドッキングし、スマートフォン５やタブレットＰＣに表示されるオブジェクトの入れ替えを可能にしてもよい。」
（１ｂ）引用文献１には、以下の図が示されている。　
　
（１−１−２）認定事項
　引用文献１の摘示（１ａ）（１ｂ）より、「ナビゲーション装置１」について以下の事項を認定することができる。
ア　ナビゲーション装置１は、運転席２及び助手席３の間の車内空間の前方部４に搭載されるものであって（[0010]、図１）、制御部１００と、記憶部１１０と、タッチ操作ユニット１２０とを備えていること（[0011]、図２）
イ　制御部１００は、カーナビゲーション装置１の全体を制御するものであること（[0011]）
ウ　タッチ操作ユニット１２０は、タッチパネル１２１と、液晶表示装置１２２とを備えており（[0012]、図２）、液晶表示装置１２２は、視覚表示装置であり、制御部１００の制御の下、制御部１００から出力される表示画面信号に基づき、画面に各種の情報を表示すること（[0014]）
エ　ユーザが、タッチ操作ユニット１２０のタッチパネル１２１から、編集モードへの移行指令を与えると、制御部１００を介して、液晶表示装置１２２に、第１の編集画面１０が表示され、第１の編集画面１０には、横に４列、縦に２行の合計８つのアイコン１１、１２、１３、…１８が配置されること（[0015]、図３）
オ　第１の編集画面１０が開かれた場合、初期状態として編集画面１０の左上のアイコン１１が編集可能に選択されるが（[0015]）、選択したいアイコンがアイコン１１ではなく、他のアイコンである場合、他のアイコンをタッチすることで他のアイコンが選択されること（[0023]）
カ　選択された選択アイコン１１は、視覚で理解できるように、その周囲枠２４が発色され（[0017]）、周囲枠２４の周囲には、オブジェクトの移動可能な方向を示す入れ替えマーク２０（２０ａ、２０ｂ、２０ｃ）が表示され、アイコン１１は、左右及び下側には移動可能な仕組みがとられているため、アイコン１１の左右及び下側には、入れ替えマーク２０（２０ａ、２０ｂ、２０ｃ）が表示されること（[0018]、図３）
キ　ユーザが、右側の入れ替えマーク２０ａに触れた場合、選択アイコン１１と、入れ替えマーク２０ａが示す方向に位置する対象アイコン１２とが、表示位置を入れ替わって表示され、下側の入れ替えマーク２０ｂに触れた場合、選択アイコン１１と、下方に位置する対象アイコン１５とが、表示位置を入れ替わって表示され、左側の入れ替えマーク２０ｃに触れた場合、選択アイコン１１の左方に位置する対象アイコンと表示位置を入れ替わって表示されること（[0021]、図３）
（１−１−３）引用文献１に記載された発明
　以上によれば、引用文献１には、
「運転席２及び助手席３の間の車内空間の前方部４に搭載されるナビゲーション装置１であって、
　制御部１００と、記憶部１１０と、タッチ操作ユニット１２０とを備え、
　制御部１００は、カーナビゲーション装置１の全体を制御するものであり、
　タッチ操作ユニット１２０は、タッチパネル１２１と、液晶表示装置１２２とを備えており、液晶表示装置１２２は、視覚表示装置であり、制御部１００の制御の下、制御部１００から出力される表示画面信号に基づき、画面に各種の情報を表示し、
　ユーザが、タッチ操作ユニット１２０のタッチパネル１２１から、編集モードへの移行指令を与えると、制御部１００を介して、液晶表示装置１２２に、第１の編集画面１０が表示され、第１の編集画面１０には、横に４列、縦に２行の合計８つのアイコン１１、１２、１３、…１８が配置され、
　第１の編集画面１０が開かれた場合、初期状態として編集画面１０の左上のアイコン１１が編集可能に選択されるが、選択したいアイコンがアイコン１１ではなく、他のアイコンである場合、他のアイコンをタッチすることで他のアイコンが選択され、
　選択された選択アイコン１１は、視覚で理解できるように、その周囲枠２４が発色され、周囲枠２４の周囲には、オブジェクトの移動可能な方向を示す入れ替えマーク２０（２０ａ、２０ｂ、２０ｃ）が表示され、アイコン１１は、左右及び下側には移動可能な仕組みがとられているため、アイコン１１の左右及び下側には、入れ替えマーク２０（２０ａ、２０ｂ、２０ｃ）が表示され、
　ユーザが、右側の入れ替えマーク２０ａに触れた場合、選択アイコン１１と、入れ替えマーク２０ａが示す方向に位置する対象アイコン１２とが、表示位置を入れ替わって表示され、下側の入れ替えマーク２０ｂに触れた場合、選択アイコン１１と、下方に位置する対象アイコン１５とが、表示位置を入れ替わって表示され、左側の入れ替えマーク２０ｃに触れた場合、選択アイコン１１の左方に位置する対象アイコンと表示位置を入れ替わって表示される、
　ナビゲーション装置１」の発明（以下「引用発明」という。）が記載されていると認められる。
（１−２）引用文献２の記載事項
　原査定の拒絶の理由に引用文献４として引用され、本願の出願日前に頒布された特開２０１６−２４６４５号公報（以下「引用文献２」という。）には、以下の事項が記載されている。
（２ａ）「【０００１】
　この明細書に記載の実施形態は、
画像処理装置の操作入力部におけるユーザビリティーを向上させるためのソフトウエア技術に関する。
・・・
【００４６】
　
この実施形態では、装置の機能を示すアイコン（オブジェクト）が、タッチパネルディスプレイ４０に４（横）×２（縦）＝合計８つ配列された場合を例示するが、表示されるアイコンの数や縦横の数は、これに限定されない。
・・・
【００４８】
　
図５及び図６に示す例では、タッチパネルディスプレイ４０に表示されたアイコンは、装置の機能が定義されたものと未定義のものとの２種類に大別される。
・・・
【００５２】
　一方、装置の機能が定義されている定義済みアイコン（この例では「１」、「２」、「５」、「６」、「７」の５つのアイコン）は、図６に示すように、
アイコン配置編集モード中は、
２つのアイコン間での配置位置の変更（交換）を行うための指標となる指示ボタン（アローヘッドのボタン）が表示される。
アローヘッドのボタンを「位置移動ボタン」とも称する。
・・・
【００５６】
　次に、
２つのアイコン間での配置位置の変更（交換）を行うための位置移動ボタンについて説明する。
【００５７】
　
例えば、図６の例での「２」のアイコンは、左側に隣接する「１」のアイコンとの間で配置交換が可能であり、かつ、下側に隣接する「６」のアイコンとの間でも配置交換が可能である。このため、「２」のアイコンの左側の領域に「＜」の位置移動ボタンが表示されるとともに、「１」のアイコンの右側の領域にも「＞」の位置移動ボタンが表示される。
・・・
【００６９】
　
図７及び図８は、位置移動ボタンをタッチ操作することにより、２つのアイコンの位置を移動する場合の操作例を示す。
「２」のアイコンの下側に表示されている下向きのアローヘッドによる位置移動ボタンを選択（指でタッチ）すると、その下に位置している「６」のアイコンと位置が入れ替わる。
【００７０】
　このように、本実施形態の
位置移動ボタンのアローヘッドの向きは、アイコンの移動方向を示しているので、視覚的にも分かり易いものである。
【００７１】
　以上のような構成を備えた本実施形態では、
ドラッグ＆ドロップの操作と異なり、ワンタッチでアイコンの移動（すなわち隣接アイコン同士の配置交換）を行うことができるので、アイコン配置換えを簡易迅速に実現することが可能となる。
・・・
【００７６】
　また、
上述の実施形態では、配置交換可能な一対のアイコンのそれぞれに、位置移動ボタンを表示する構成としたが、いずれか一方のアイコンのみに位置移動ボタンを表示する構成とすることもできる。さらには、図１１に示すように、アイコン間にまたがって、位置移動ボタンを表示させることもできる。
（２ｂ）引用文献２には、以下の図が示されている。　
（１−３）引用文献３の記載事項
　原査定の拒絶の理由に引用文献５として引用され、本願の出願日前に頒布された特開２０１４−１０２６６０号公報（以下「引用文献３」という。）には、以下の事項が記載されている。
（３ａ）「【０００１】
　
本発明は、タッチ操作による車両内の機器の操作を支援する操作支援システム
に関する。
・・・
【００５１】
　ここで、
図６及び図７は
フロントガラス３６の表示対象領域３７に表示される画像の一例を示した図である。
表示対象領域３７において図６に示すメイン画面４０が表示される。メイン画面４０には、操作支援システム１において操作対象となる操作対象機器（ナビゲーション装置、オーディオ、エアコン、パワーウィンドウ、ドア等）に対応する複数のメニューアイコン４１が表示される。
・・・
【００５６】
　先ず、操作支援処理プログラムではステップ（以下、Ｓと略記する）１において、ＣＰＵ３１は、選択されたメニューアイコン４１に対応したパラメータ設定画面４２をＨＵＤ４によりフロントガラス３６の表示対象領域３７に表示する（図２参照）。ここで、
パラメータ設定画面４２は、図７に示すように操作対象機器（図７に示す例ではエアコン）の現在のパラメータが、パラメータアイコン４３〜４５内にそれぞれ表示される。ここで、図７に示す例では、『風向』、『風量』、『設定温度』の３つのエアコンのパラメータが表示され
パラメータ設定画面４２において表示対象となるパラメータの数は３つに限られることなく、１つや２つでも良い。
【００５７】
　次に、Ｓ２においてＣＰＵ３１は、フロントガラス３６の表示対象領域３７に表示されたパラメータ毎に、パラメータに対応付けた選択領域を右操作入力装置３のタッチパッド１１の操作面に設定する。具体的には、表示画面に対するパラメータの表示位置の関係と対応させて、選択領域を右操作入力装置３のタッチパッド１１の操作面に設定する。例えば、
表示画面において図７に示すように３つのパラメータが左右方向に並んで表示されている場合には、図１０に示すように３つの選択領域５１〜５３を左右方向に並べて右操作入力装置３のタッチパッド１１の操作面に対して設定する。
・・・
【００６７】
　Ｓ９において
ＣＰＵ３１は、
ユーザによって選択されたと判定された選択領域（以下、対象選択領域という）に対応するパラメータを、ユーザによる変更操作対象となるパラメータ（以下、選択パラメータという）として仮に特定する。
パラメータ設定画面４２において選択パラメータを他のパラメータよりも強調（他のパラメータと識別）して表示する。
・・・
【００６９】
　また、
図１１は選択領域５１〜５３の内、
『風量』に対応する選択領域５２が選択された場合のパラメータ設定画面４２の表示例を示した図である。
『風量』のパラメータを示すパラメータアイコン４４が他のパラメータアイコン４３、４５よりも大きいサイズで表示され
ユーザは『風量』のパラメータが現在変更対象として仮に選択されていることを容易に把握することが可能となる。
選択パラメータを強調して表示する手段としては、拡大して表示する以外に、表示色を変えたり、線の太さを太くしても良い。
・・・
【００９７】
　以上詳細に説明した通り、本実施形態に係る操作支援システム１、操作支援システム１による操作支援方法及び操作支援システム１で実行されるコンピュータプログラムによれば、操作対象機器において設定されている複数のパラメータをフロントガラス３６に表示し（Ｓ１）、表示された複数のパラメータ毎に、パラメータに対応付けた選択領域をタッチパッド１１の操作面に設定し（Ｓ２）、操作面に設定されたいずれかの選択領域をユーザがタッチした状態で、該選択領域内のピン２１を押下する選択操作を受け付けた場合に、選択された選択領域（対象選択領域）に対応するパラメータ（選択パラメータ）を変更する操作を行う為の操作領域をタッチパッド１１の操作面に新たに設定し（Ｓ１５）、操作領域内でユーザがドラッグする操作を、選択パラメータを変更する操作として受け付け（Ｓ１７〜Ｓ２４）、受け付けたユーザの操作に基づいて選択パラメータを変更するように操作対象機器を制御するので、複数のパラメータが表示画面に表示されていたとしてもパラメータの変更操作をより少ない操作回数で行わせることが可能である。また、パラメータが表示されたとしても、パラメータが変更操作対象として選択されなければ操作領域が設定されない。即ち、ユーザがタッチパッド１１の操作面に対して誤った操作を行ったとしても、選択されていないパラメータは変更されることはないので、誤操作を防止することができる。従って、車両に搭載された各操作対象機器において設定されているパラメータの詳細な変更操作を操作面へのタッチ操作によって正確に行わせることが可能となる。
　
また、選択パラメータを他のパラメータと識別可能に表示するので、表示画面をユーザが視認することによって、現在変更操作の対象となっているパラメータを容易に識別することが可能となる。
」
（３ｂ）引用文献３には、以下の図が示されている。　
　
（１−４）引用文献４の記載事項
　原査定の拒絶の理由に引用文献６として引用され、本願の出願日前に頒布された特開２０１５−１４６０８２号公報（以下「引用文献４」という。）には、以下の事項が記載されている。
（４ａ）「【０００１】
本発明は、入力装置、
に関する。
・・・
【００３０】
　＜画像形成装置１＞
　図１は、画像形成装置のハードウェア構成例を示すブロック図である。また、図２は、画像形成装置の機能構成例を示すブロック図である。
・・・
【００３２】
　
画像形成装置１は、印刷機能、コピー機能、スキャン機能、ファクシミリ機能等の少なくともいずれかを有するＭＦＰ（Ｍｕｌｔｉ−Ｆｕｎｃｔｉｏｎ Ｐｅｒｉｐｈｅｒａｌ）である。ただし、本発明をＭＦＰに適用する代わりに、
車載用のナビゲーション装置に適用してもよい。
（１−５）引用文献５の記載事項
　原査定の拒絶の理由に引用文献７として引用され、本願の出願日前に頒布された特開２０１５−１８４７５５号公報（以下「引用文献５」という。）には、以下の事項が記載されている。
（５ａ）「【０００１】
　
本発明は、画像形成装置
車載用情報端末装置等の各種電子機器に使用される操作パネル装置に関する。
・・・
【０１７９】
　（５−６）
上記実施の形態では、本発明に係る操作パネル装置を多機能複合機の操作部３に適用した場合の例を説明したが、これに限られない。例えば、プリンターや複写機などの画像形成装置、
車載用情報端末装置等の各種電子機器において使用される操作パネル装置に適用することができる。
（２）対比
　本願補正発明と引用発明とを対比する。 
ア　引用発明の「液晶表示装置１２２」は、「視覚表示装置であり、制御部１００の制御の下、制御部１００から出力される表示画面信号に基づき、画面に各種の情報を表示」するものであって、画面を備えることは明らかであるから、本願補正発明の「画面を備えた表示部」に相当する。
イ　引用発明の「合計８つのアイコン１１、１２、１３、…１８」は、本願補正発明の「複数のアイコンスイッチ」に相当する。
ウ　引用発明の「制御部１００」は、「カーナビゲーション装置１の全体を制御するものであり」、「ユーザが、タッチ操作ユニット１２０のタッチパネル１２１から、編集モードへの移行指令を与えると、制御部１００を介して、液晶表示装置１２２に、第１の編集画面１０が表示され、第１の編集画面１０には、横に４列、縦に２行の合計８つのアイコン１１、１２、１３、…１８が配置され」るものであるから、上記「制御部１００」が、画面に合計８つのアイコン１１、１２、１３、…１８を表示するように液晶表示装置１２２を制御することは明らかである。
　してみると、引用発明の上記「制御部１００」と、本願補正発明の「前記画面に複数のアイコンスイッチを横一列表示するように前記表示部を制御する制御部」とは、上記ア、イをも踏まえると、「前記画面に複数のアイコンスイッチを表示するように前記表示部を制御する制御部」の点で共通するものといえる。
エ　引用発明の「入れ替えマーク２０（２０ａ、２０ｂ、２０ｃ）」は、「オブジェクトの移動可能な方向を示す」ものであって、「アイコン１１は、左右及び下側には移動可能な仕組みがとられているため、アイコン１１の左右及び下側には、入れ替えマーク２０（２０ａ、２０ｂ、２０ｃ）が表示され」、「ユーザが、右側の入れ替えマーク２０ａに触れた場合、選択アイコン１１と、入れ替えマーク２０ａが示す方向に位置する対象アイコン１２とが、表示位置を入れ替わって表示され、下側の入れ替えマーク２０ｂに触れた場合、選択アイコン１１と、下方に位置する対象アイコン１５とが、表示位置を入れ替わって表示され、左側の入れ替えマーク２０ｃに触れた場合、選択アイコン１１の左方に位置する対象アイコンと表示位置を入れ替わって表示される」ものであるから、上記「入れ替えマーク２０（２０ａ、２０ｂ、２０ｃ）」は、アイコン１１、１２、１３、…１８を移動させるための移動方向選択スイッチと位置づけ得るものである。
　したがって、引用発明の上記「入れ替えマーク２０（２０ａ、２０ｂ、２０ｃ）」と本願補正発明の「前記アイコンスイッチを横方向に移動させるための移動方向選択スイッチ」とは、上記イをも踏まえると、「前記アイコンスイッチを移動方向に移動させるための移動方向選択スイッチ」の点で共通するものといえる。
オ　引用発明の「制御部１００」は、「カーナビゲーション装置１の全体を制御するもの」であって、「ユーザが、タッチ操作ユニット１２０のタッチパネル１２１から、編集モードへの移行指令を与えると、制御部１００を介して、液晶表示装置１２２に、第１の編集画面１０が表示され、第１の編集画面１０には、横に４列、縦に２行の合計８つのアイコン１１、１２、１３、…１８が配置され」るものであるから、上記「アイコン１１、１２、１３、…１８」は、上記「制御部１００」の制御によって画面に表示されることが明らかである。
　さらに、引用発明は、「第１の編集画面１０が開かれた場合、初期状態として編集画面１０の左上のアイコン１１が編集可能に選択されるが、選択したいアイコンがアイコン１１ではなく、他のアイコンである場合、他のアイコンをタッチすることで他のアイコンが選択され、選択された選択アイコン１１は、視覚で理解できるように、その周囲枠２４が発色され、周囲枠２４の周囲には、オブジェクトの移動可能な方向を示す入れ替えマーク２０（２０ａ、２０ｂ、２０ｃ）が表示され」るものであるから、上記「制御部１００」の制御によって「入れ替えマーク２０（２０ａ、２０ｂ、２０ｃ）」が表示されることも明らかである。
　したがって、引用発明の上記「制御部１００」による「アイコン１１、１２、１３、…１８」及び「入れ替えマーク２０（２０ａ、２０ｂ、２０ｃ）」を表示させる構成と、本願補正発明の「制御部」による「前記アイコンスイッチを横方向に移動させるための移動方向選択スイッチを前記画面の移動対象とされた前記アイコンスイッチ上に表示させるとともに、移動対象とされた前記アイコンスイッチを他の前記アイコンスイッチに対して上下幅を相対的に大きく前記画面に表示させ」る構成とは、上記イ〜エをも踏まえると、「前記制御部は、前記アイコンスイッチを移動方向に移動させるための移動方向選択スイッチを表示させるとともに、移動対象とされた前記アイコンスイッチを前記画面に表示させ」る点で共通し、
　さらに、引用発明の「ユーザが、右側の入れ替えマーク２０ａに触れた場合、選択アイコン１１と、入れ替えマーク２０ａが示す方向に位置する対象アイコン１２とが、表示位置を入れ替わって表示され、下側の入れ替えマーク２０ｂに触れた場合、選択アイコン１１と、下方に位置する対象アイコン１５とが、表示位置を入れ替わって表示され、左側の入れ替えマーク２０ｃに触れた場合、選択アイコン１１の左方に位置する対象アイコンと表示位置を入れ替わって表示される」ことと、本願補正発明の「前記移動方向選択スイッチが操作された場合、横方向に位置する前記アイコンスイッチの位置と移動対象とされた前記アイコンスイッチの位置とを並び替えて前記画面に表示させる」こととは、「前記移動方向選択スイッチが操作された場合、移動方向に位置する前記アイコンスイッチの位置と移動対象とされた前記アイコンスイッチの位置とを並び替えて前記画面に表示させる」点で共通するものといえる。
カ　引用発明の「ナビゲーション装置１」は、「運転席２及び助手席３の間の車内空間の前方部４に搭載される」ものであって、「制御部１００と、記憶部１１０と、タッチ操作ユニット１２０とを備え」るものであるから、その技術的意義において、本願補正発明の「車載用表示制御装置」に相当するものといえる。
　以上によれば、本願補正発明と引用発明とは、
「画面を備えた表示部と、
　前記画面に複数のアイコンスイッチを表示するように前記表示部を制御する制御部と、
　を備え、
　前記制御部は、前記アイコンスイッチを移動方向に移動させるための移動方向選択スイッチを表示させるとともに、移動対象とされた前記アイコンスイッチを前記画面に表示させ、
　前記移動方向選択スイッチが操作された場合、移動方向に位置する前記アイコンスイッチの位置と移動対象とされた前記アイコンスイッチの位置とを並び替えて前記画面に表示させる車載用表示制御装置。」の点で一致し、以下の点で相違している。 
＜相違点１＞
　複数のアイコンスイッチの「表示」の態様、及び、アイコンスイッチの「移動方向」に関し、
　本願補正発明は、複数のアイコンスイッチが「横一列表示」されるとともに、移動方向選択スイッチが、アイコンスイッチを「横方向」に移動させるためのものとされ、「横方向」に位置するアイコンスイッチの位置と移動対象とされたアイコンスイッチの位置とを並び替えて画面に表示させるものであるのに対し、
　引用発明は、複数のアイコンスイッチ（アイコン１１、１２、１３、…１８）が「横に４列、縦に２行の合計８つ」表示されるとともに、移動方向選択スイッチ（入れ替えマーク２０（２０ａ、２０ｂ、２０ｃ））が、「オブジェクトの移動可能な方向」に移動させるためのものとされ、「左右及び下側には移動可能な仕組みがとられているため、アイコン１１の左右及び下側には、入れ替えマーク２０（２０ａ、２０ｂ、２０ｃ）が表示され、ユーザが、右側の入れ替えマーク２０ａに触れた場合、選択アイコン１１と、入れ替えマーク２０ａが示す方向に位置する対象アイコン１２とが、表示位置を入れ替わって表示され、下側の入れ替えマーク２０ｂに触れた場合、選択アイコン１１と、下方に位置する対象アイコン１５とが、表示位置を入れ替わって表示され、左側の入れ替えマーク２０ｃに触れた場合、選択アイコン１１の左方に位置する対象アイコンと表示位置を入れ替わって表示される」点。
＜相違点２＞
　移動方向選択スイッチの「表示」の態様について、
　本願補正発明は、「前記画面の移動対象とされた前記アイコンスイッチ上に」表示させるように構成されているのに対し、引用発明は、「選択された選択アイコン１１」に対する「周囲枠２４の周囲には、オブジェクトの移動可能な方向を示す入れ替えマーク２０（２０ａ、２０ｂ、２０ｃ）が表示され」るように構成されている点。
＜相違点３＞
　移動対象とされたアイコンスイッチの「表示」の態様について、
　本願補正発明は、「他の前記アイコンスイッチに対して上下幅を相対的に大きく」表示させるように構成されているのに対し、引用発明は、「選択された選択アイコン１１は、視覚で理解できるように、その周囲枠２４が発色され」るように構成されている点。
（３）判断 
ア　相違点１について
（ア）引用発明は、「第１の編集画面１０には、横に４列、縦に２行の合計８つのアイコン１１、１２、１３、…１８が配置され」るものであるところ、引用文献１（摘示（１ａ）（摘示１ｂ））には、第１の編集画面１０に、左半分にウィジェット３１、右半分にアイコン３２、３３、３４、３５が配置されている実施の形態（［0024］、図５）、画面の上半分にウィジェット５１、下半分にアイコン５２、５３、５４、５５が配置されている実施の形態（［0030］、図７）、画面の左半分にウィジェット６１、右半分の上側にアイコン６２、６３、右半分の下側にウィジェット６４が配置されている実施の形態（［0033］、図８）、画面の上半分にアイコン７１、７２、７３、７４、下半分にウィジェット７５が配置されている実施の形態（［0036］、図９）等が記載されているように、引用発明の「第１の編集画面１０」に配置されるアイコンは、多様な配置態様が想定されるものである。この点は、引用文献１の「本発明は、この実施形態に限定されるものではない。あくまでも本発明の一実施の態様を例示するものであるから、本発明の趣旨を逸脱しない範囲で任意に変更、及び応用が可能である。」（［0046］）という記載からも裏付けられるものであり、さらに、このような画面に表示されるアイコンの数や縦横の数といった配置の態様が適宜設計変更されることは、例えば、引用文献２（摘示（２ａ））に「この実施形態では、装置の機能を示すアイコン（オブジェクト）が、タッチパネルディスプレイ４０に４（横）×２（縦）＝合計８つ配列された場合を例示するが、表示されるアイコンの数や縦横の数は、これに限定されない。」（【００４６】）と記載され、引用文献３（摘示（３ａ））に「パラメータ設定画面４２において表示対象となるパラメータの数は３つに限られることなく、１つや２つでも良い。」と記載されているように、当業者が通常の創作能力の発揮において行い得ることいえる。
　そして、例えば引用文献３（摘示（３ａ）（３ｂ））には、横列及び縦列に複数のメニューアイコン４１が表示されたメイン画面４０の例（図６）や、横一列に複数のパラメータが表示されたパラメータ設定画面４２の例（図７）が示されているように、複数のアイコンを横列及び縦列に配置して表示することも、あるいは、横一列に配置して表示することも、複数のアイコンを画面に配置する上での周知技術というべきものであるから、引用発明の「第１の編集画面１０」に配置される「アイコン１１、１２、１３、…１８」を「横に４列、縦に２行」で配置することに代えて、「横一列」で配置すること、さらに、かかる「横一列」の配置に伴って、「入れ替えマーク２０（２０ａ、２０ｂ、２０ｃ）」を、アイコン１１、１２、１３、…１８を「横方向」に移動させるためのものとして構成するとともに、「横方向」に位置するアイコン１１、１２、１３、…１８の位置と移動対象とされたアイコンの位置とを並び替えて画面に表示させることは、上記周知技術に接した当業者が適宜設定する設計事項というべきであり、格別困難なことではない。
　したがって、上記相違点１に係る本願補正発明の構成は、引用発明及び上記周知技術に基いて当業者が容易になし得たものといえる。
イ　相違点２について
　引用発明の「入れ替えマーク２０（２０ａ、２０ｂ、２０ｃ）」は、「オブジェクトの移動可能な方向を示す」ものであるから、ユーザにとって、その示す方向を視覚的に分かりやすく構成すべきことが明らかである。
　ここで、引用文献２（摘示（２ａ）（２ｂ））には、画像処理装置の操作入力部におけるユーザビリティーを向上させるためのソフトウエア技術に関し（【０００１】）アイコンの移動方向を示すものであって、視覚的にも分かり易い「位置移動ボタン」の構成として（【００７０】）、移動対象とされたアイコンの領域に位置移動ボタンを表示することが記載されている（【００５７】、図６）。さらに、上記「位置移動ボタン」は、２つのアイコン間での配置位置の変更（交換）を行うための指示ボタンとして機能することから（【００５２】、【００６９】〜【００７１】、図７，８）、引用発明の「入れ替えマーク２０（２０ａ、２０ｂ、２０ｃ）」とは、その機能・構成において多分に共通したものということができる。なお、画像処理装置の操作入力部の技術が、引用発明の「ナビゲーション装置」に適用可能であることは技術常識である（必要ならば、引用文献４の摘示（４ａ）、引用文献５の摘示（５ａ）、など参照。）。
　また、引用文献２には、「上述の実施形態では、配置交換可能な一対のアイコンのそれぞれに、位置移動ボタンを表示する構成としたが、いずれか一方のアイコンのみに位置移動ボタンを表示する構成とすることもできる。さらには、図１１に示すように、アイコン間にまたがって、位置移動ボタンを表示させることもできる。」（【００７６】）とも記載されているように、この種の「位置移動ボタン」は、ユーザの視認性や操作性等をも考慮してその表示の態様を適宜選択的に設計し得ることが技術的に明らかであるから、引用発明の「入れ替えマーク２０（２０ａ、２０ｂ、２０ｃ）」の表示の態様として、視覚的にも分かり易く構成された上記「位置移動ボタン」の表示の態様を参考とする動機付けは十分存在する。
　してみると、引用発明の「アイコン１１、１２、１３、…１８」を「横一列」で配置するとともに、かかる配置に伴って、「入れ替えマーク２０（２０ａ、２０ｂ、２０ｃ）」を、アイコン１１、１２、１３、…１８を「横方向」に移動させるためのものとして構成するに際し（上記ア）、引用文献２に記載された上記「位置移動ボタン」の表示の態様を参考として、上記「入れ替えマーク２０」をアイコン１１上に表示させるように構成することは、当業者にとって格別困難なことではない。
　したがって、上記相違点２に係る本願補正発明の構成は、引用発明及び上記引用文献２に記載された技術事項に基いて当業者が容易になし得たものといえる。
ウ　相違点３について
　引用発明の「選択された選択アイコン１１」は、「視覚で理解できるように、その周囲枠２４が発色され」るものであるから、そのような選択アイコン１１は、他のアイコンと視覚的に識別できるように強調して表示されるように構成されたものということができる。
　ここで、例えば、引用文献３（摘示（３ａ）（３ｂ））には、タッチ操作による車両内の機器の操作を支援する操作支援システムに関し（【０００１】）、パラメータ設定画面４２上で、ユーザが選択した選択パラメータを他のパラメータと視覚的に容易に識別できるように構成するために、選択されたパラメータアイコン４４を他のパラメータアイコン４３、４５よりも大きいサイズで強調して表示することが記載され（【００６７】〜【００６９】、【００９７】）、さらに、選択パラメータを強調して表示する手段として、拡大して表示する以外に、表示色を変えたり、線の太さを太くしても良いことも記載されているように（【００６９】）、選択したアイコンを他のアイコンに対して強調して表示するために、拡大して表示すること、表示色を変えて表示すること、あるいは線の太さを太くして表示することは、かかる技術分野における周知技術ということができ、また、それら強調表示の態様は当業者が適宜選択的に採用し得るものといえる。
　そして、一定の課題を解決するための技術の具体的適用に伴う設計変更は、当業者の通常の創作能力の発揮にすぎないから、引用発明の「選択アイコン１１」を強調表示するために、上記「選択アイコン１１」を「その周囲枠２４が発色され」るように構成することに代えて、他のアイコンに対して上下幅を相対的に大きく表示するように構成することは、上記周知技術に接した当業者が通常の創作能力の発揮において行い得ることというべきである。
　したがって、上記相違点３に係る本願補正発明の構成は、引用発明及び上記周知技術に基いて当業者が容易になし得たものといえる。
　
エ　そして、本願補正発明の作用効果も、引用発明、引用文献２に記載された技術事項及び周知技術から当業者が予測し得る範囲のものであって、格別なものとはいえない。
オ　請求人の主張について
　請求人は、令和２年１０月２８日付けの審判請求書（「３．（ｃ）」の項）で、
「本願発明は、『前記画面に複数のアイコンスイッチを
横一列
　しかし、上記アで述べたとおり、例えば、引用文献３（摘示（３ｂ））にも記載されているように、複数のアイコンを画面に横列及び縦列で表示することも（図６）、また、横一列で表示することも（図７）、複数のアイコンを画面に配置する上での周知技術というべきものであるから、引用発明の「横に４列、縦に２行の合計８つのアイコン１１、１２、１３、…１８」を横一列で配置するように構成することは、上記周知技術に接した当業者が適宜選択的に採用することができる設計事項といえ、また、そのようにアイコンを横一列で配置すれば、上下方向における表示スペースを十分に確保し得ることも、例えば引用文献３の図７に示されているとおり自明の事項ともいえ予測の範囲内である。
　さらに、上記ウで述べたとおり、例えば、引用文献３（摘示（３ａ））にも記載されているように、設定画面におけるユーザの視認性等を考慮して、選択されたアイコンを他のアイコンよりも大きいサイズで強調して表示すること、また、拡大して表示する以外に、表示色を変えたり、線の太さを太くして強調表示することは（【００６９】）、対象となるアイコンを強調表示する上での周知技術というべきものであるから、引用発明の「選択アイコン１１」を「その周囲枠２４が発色され」るような表示色を利用して強調表示する構成に代えて、他のアイコンに対して上下幅を相対的に大きく表示するように拡大して強調表示させるように構成することは、当業者が技術の具体的適用に伴う設計変更にすぎないものといえる。
　したがって、請求人の上記主張は採用できない。
（４）まとめ 
　以上のとおり、本願補正発明は、引用発明、引用文献２に記載された技術事項及び周知技術に基いて当業者が容易になし得たものであるから、特許出願の際独立して特許を受けることができるものではない。
　したがって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明 
　本件補正は上記のとおり却下されたので、本願の請求項１に係る発明は、令和１年１１月１１日付けの手続補正により補正された特許請求の範囲の請求項１に記載された事項により特定されるとおりのものと認められるところ、本願の請求項１に係る発明（以下「本願発明」という。）は、上記「第２　１（１）補正前の請求項１」に記載されたとおりのものである。
２　原査定の拒絶の理由
　原査定の拒絶の理由は、次の理由を含むものである。
　本願の請求項１に係る発明は、以下の引用文献１、４に記載された発明及び周知技術（引用文献６、７）に基いて、その出願前にその発明の属する技術の分野における通常の知識を有する者が容易に発明をすることができたものであるから、特許法第２９条第２項の規定により特許を受けることができない。
・引用文献１：国際公開第２０１５／１５１６１９号
・引用文献４：特開２０１６−２４６４５号公報
・引用文献６：特開２０１５−１４６０８２号公報
・引用文献７：特開２０１５−１８４７５５号公報
　なお、上記引用文献１、４、６及び７は、それぞれ、上記「第２　２　２−２　（１）」に示す引用文献１、２、４及び５である。
３　当審の判断
　本願発明は、上記「第２　１（１）補正前の請求項１」に示すとおりのものであり、実質的には、上記「第２　１（２）補正後の請求項１」に示す本願補正発明の発明を特定するために必要な事項から、上記「第２　２　２−１　補正の目的」で述べた限定事項を削除したものである。
　そうすると、本願発明の発明特定事項を全て含み、さらに他の事項を付加したものに相当する本願補正発明が、上記「第２　２　２−２（３）（４）」で述べたとおり、当業者が容易になし得たものであるから、本願発明も同様の理由により（ただし、上記限定事項に係る判断は除く）、当業者が容易に発明をすることができたものといえる。
第４　むすび 
　以上のとおり、本願発明は、上記「第２　２　２−２（３）」で述べた引用発明及び引用文献２、４、５に記載された技術事項（技術常識を含む）に基いて当業者が容易になし得たものであって、特許法第２９条第２項の規定により特許を受けることができない。
　したがって、その余の請求項について検討するまでもなく、本願は拒絶すべきものである。
　よって、結論のとおり審決する。